(57)【特許請求の範囲】
【請求項１】
表面側に、相手方コネクタを収容するための凹部が形成され、裏面側に、前記相手方コネクタと接続される端子を挿入するための挿入孔が形成されるハウジングであって、前記凹部側から外側方に張り出した第１張出部、及び前記挿入孔側から外側方に張り出し、前記第１張出部よりも外縁が内側に位置する第２張出部、を含むハウジングと、
前記ハウジングを収容するアダプタであって、表面側から裏面側に延びる貫通孔が形成され、該貫通孔の表面側の開口から前記第２張出部が挿入され、該開口の周囲の表面が前記第１張出部の裏面に当接して挿入方向の移動を規制するとともに、前記第２張出部の表面に当接して挿入方向とは逆方向の移動を規制するストッパ部を含む、アダプタと、
を備えるフローティングコネクタ。
【請求項２】
前記ハウジングの前記挿入孔側は、前記凹部側よりも細く形成され、
前記アダプタのストッパ部は、前記ハウジングの前記挿入孔側の外側方に配される、
請求項１に記載のフローティングコネクタ。
【請求項３】
前記アダプタは、外側面の一部が他部よりも外側方に張り出し、表面側または裏面側を向く対向面が形成された張出部を含み、
前記アダプタは、パネルに形成された取付口の周囲の表面が前記対向面と対向するとともに、該取付口の周縁が前記張出部の基端側まで達した状態で、前記パネルに対して固定される、
請求項１に記載のフローティングコネクタ。
【請求項４】
前記ハウジングの前記第１張出部の裏面、及びこれに対向する前記アダプタの前記開口の周囲の表面には、一方に突起部が設けられ、他方に前記突起部が挿入される、該突起部よりも側方に大きな穴部が形成され、
前記ハウジングの側方への移動は、前記突起部が前記穴部の内壁に当接したときに規制される、
請求項１に記載のフローティングコネクタ。
【請求項５】
前記ハウジングに形成された前記凹部の少なくとも表面側の一部は、前記第１張出部の少なくとも基端側の一部を含む範囲まで、表面側に向けて広がっている、
請求項１に記載のフローティングコネクタ。
【発明の詳細な説明】
【技術分野】
【０００１】
本発明は、フローティングコネクタに関する。
【背景技術】
【０００２】
従来、特許文献１には、ハウジングの背面側にそれよりも大径の回動部が設けられ、パネルに形成されたコネクタ挿入孔内で回動部がフローティング可能に支持されるフローティングコネクタが開示されている。この従来のフローティングコネクタでは、回動部から放射状に延びる板ばねと、回動部の背面側に位置する押え板とが設けられ、これらがパネルを挟み込むことによって回動部が支持される。
【特許文献１】実開平７−１８３５６号公報
【発明の開示】
【発明が解決しようとする課題】
【０００３】
しかしながら、上記従来のフローティングコネクタでは、回動部がコネクタ挿入孔から抜け落ちないようにするために設けられる、放射状に広がった板ばね及び押え板も、ハウジングとともにフローティングすることから、フローティングする部材の到達範囲が肥大化せざるを得なかった。フローティングする部材の到達範囲が肥大化すると、例えば複数のフローティングコネクタを近づけて配置することが困難となる。
【０００４】
本発明は、上記実情に鑑みて為されたものであり、フローティングする部材の到達範囲のコンパクト化を図ることが可能なフローティングコネクタを提供することを主な目的とする。
【課題を解決するための手段】
【０００５】
上記課題を解決するため、本発明のフローティングコネクタは、ハウジングと、前記ハウジングが挿入される貫通孔が形成されたアダプタとを備えるフローティングコネクタであって、前記ハウジングは、外側方に張り出し、前記貫通孔の開口の周囲に当接して挿入方向の移動が規制される第１張出部と、前記貫通孔内に挿入され、該貫通孔内に設けられたストッパ部により挿入方向とは逆方向の移動が規制される第２張出部と、を含むことを特徴とする。
【０００６】
具体的な構成として、本発明のフローティングコネクタは、表面側に、相手方コネクタを収容するための凹部が形成され、裏面側に、前記相手方コネクタと接続される端子を挿入するための挿入孔が形成されるハウジングであって、前記凹部側から外側方に張り出した第１張出部、及び前記挿入孔側から外側方に張り出し、前記第１張出部よりも外縁が内側に位置する第２張出部、を含むハウジングと、前記ハウジングを収容するアダプタであって、表面側から裏面側に延びる貫通孔が形成され、該貫通孔の表面側の開口から前記第２張出部が挿入され、該開口の周囲の表面が前記第１張出部の裏面に当接して挿入方向の移動を規制するとともに、前記第２張出部の表面に当接して挿入方向とは逆方向の移動を規制するストッパ部を含む、アダプタと、を備える。
【０００７】
本発明によれば、ハウジングの本体部分（すなわち、第１張出部及び第２張出部よりも細い部分）が、アダプタの貫通孔内でフローティング可能とされており、また、第１張出部及び第２張出部が、アダプタからの抜け留めとして使用されている。このため、上記従来のフローティングコネクタのような、ハウジングよりも大径の回動部をパネルのコネクタ挿入孔内でフローティング可能に支持するために、パネルを挟み込むための板ばね及び押え板を回動部から放射状に延ばした構成と比して、本発明では、フローティングする部材が側方に張り出す長さを抑制することができ、これによりフローティングする部材の到達範囲のコンパクト化を図ることができる。
【０００８】
本発明の一態様では、前記ハウジングの前記挿入孔側は、前記凹部側よりも細く形成され、前記アダプタのストッパ部は、前記ハウジングの前記挿入孔側の外側方に配される。これによれば、第２張出部の表面に当接するストッパ部をより内側に配置することができるので、アダプタのコンパクト化を図ることができる。
【０００９】
本発明の一態様では、前記アダプタは、外側面の一部が他部よりも外側方に張り出し、表面側または裏面側を向く対向面が形成された張出部を含み、前記アダプタは、パネルに形成された取付口の周囲の表面が前記対向面と対向するとともに、該取付口の周縁が前記張出部の基端側まで達した状態で、前記パネルに対して固定される。これにより、アダプタに挿入方向またはその反対方向の外力が加わったときに、張出部の対向面がパネルの表面に当接することでアダプタの移動を規制することができる。更に、パネルの取付口の周縁が張出部の基端側まで達しているため、パネルから加わる力が張出部の先端側にのみ作用する構成と比して、張出部の基端側に生じる応力を軽減することができ、破損防止に効果的である。
【００１０】
本発明の一態様では、前記ハウジングの前記第１張出部の裏面、及びこれに対向する前記アダプタの前記開口の周囲の表面には、一方に突起部が設けられ、他方に前記突起部が挿入される、該突起部よりも側方に大きな穴部が形成され、前記ハウジングの側方への移動は、前記突起部が前記穴部の内壁に当接したときに規制される。これによれば、突起部及び穴部によってハウジングのフローティング量を規定することができる。
【００１１】
本発明の一態様では、前記ハウジングに形成された前記凹部の少なくとも表面側の一部は、前記第１張出部の少なくとも基端側の一部を含む範囲まで、表面側に向けて広がっている。これによれば、第１張出部が張り出した範囲を利用して凹部の表面側の広がりを大きくすることができる。
【発明を実施するための最良の形態】
【００１２】
本発明の実施形態について、図面を参照しながら説明する。
【００１３】
図１は、本発明の一実施形態に係るフローティングコネクタ１の斜視図である。図２は、フローティングコネクタ１をパネル８に取り付けた状態を表わす斜視図である。なお、本実施形態において、フローティングコネクタ１の上下方向は、図１及び図２中の上下方向に対応する。また、フローティングコネクタ１の上方を表面側、下方を裏面側という。
【００１４】
フローティングコネクタ１は、合成樹脂等の絶縁材料からなるハウジング２及びアダプタ３が組み合わされた、全体として略直方体状の雌型コネクタとして構成されている。ハウジング２の表面２ａ側には、相手方雄型コネクタ６を収容する凹部２１が形成されている。また、ハウジング２の裏面２ｂ側からは、ケーブル７の先端に圧着された端子（不図示）が挿入され、凹部２１に収容された相手方雄型コネクタ６に設けられた端子と電気的に接続される。他方、アダプタ３は、パネル８に形成された取付口８１の周縁に固定されており、収容したハウジング２をパネル８の面内方向（上下方向と直交する方向）にフローティング可能に支持する。以下、ハウジング２及びアダプタ３をそれぞれ詳しく説明する。
【００１５】
図３Ａは、上記フローティングコネクタ１の一部であるハウジング２の斜視図である。図３Ｂは、ハウジング２の正面図である。図３Ｃは、ハウジング２の背面図である。図３Ｄは、ハウジング２の断面図である。
【００１６】
ハウジング２の表面２ａ側には、表面２ａから下方に窪んだ凹部２１が形成されている。この凹部２１には、上記相手方雄型コネクタ６が上方から下方に挿入される。また、凹部２１の表面２ａに近い部分には、上方に向けて広がったテーパー面２１３，２１５が形成されている。他方、ハウジング２の裏面２ｂ側には、裏面２ｂから上方に延びて凹部２１内に連通する複数の端子挿入孔２５２が形成されている。これら挿入孔２５２には、上記ケーブル７の先端に圧着された端子が下方から上方にそれぞれ挿入される。また、凹部２１内には、端子挿入孔２５２から凹部２１内に至る端子を仕切るための隔壁部２３２が、底部から上方に立ち上がっている。
【００１７】
ここで、端子挿入孔２５２は、複数の列を為して配列している。このため、凹部２１は、端子挿入孔２５２の列が延びた方向（すなわち、端子挿入孔２５２が多く並んだ方向）に沿って広がっており、更に、ハウジング２も全体としてこの方向に延びた形状を有している。以下、この方向を長手方向という。また、端子挿入孔２５２の列が並ぶ方向（すなわち、端子挿入孔２５２が少なく並んだ方向）を短手方向という。なお、端子挿入孔２５２の本数および配列は、図示した態様に限られない。
【００１８】
このハウジング２は、凹部２１が形成される略直方体状の表側本体部２３と、端子挿入孔２５２が形成される、表側本体部２３よりも長手方向及び短手方向ともに幅狭な略直方体状の裏側本体部２５とが上下方向に並んでいる。この表側本体部２３は、上記相手方雄型コネクタが挿入される凹部２１が形成される分、裏側本体部２５よりも側方に大きくなっている。
【００１９】
また、ハウジング２には、表側本体部２３の上端側から外側方に張り出した第１張出部２７が形成されている。この第１張出部２７は、表側本体部２３に対して短手方向よりも長手方向の両側に大きく張り出している。また、第１張出部２７の表面が、ハウジング２の表面２ａを為している。また、第１張出部２７のうち長手方向の両側には、裏面２７ｂから上方に延びた円筒状の穴部２７４が形成されている。
【００２０】
また、ハウジング２には、裏側本体部２５の下端側から外側方に張り出した第２張出部２９が形成されている。この第２張出部２９は、表側本体部２３に対して短手方向よりも長手方向の両側に大きく張り出している。なお、この第２張出部２９は、第１張出部２７よりも外縁が内側に位置するように形成されている。また、根本部分から外縁までの長さも第１張出部２７と比して小さい。本実施形態では、第２張出部２９は、表側本体部２３の外側面と同程度まで張り出している。また、第２張出部２９の裏面が、ハウジング２の裏面２ｂを為している。この第２張出部２９の短手方向の端部には、長手方向の中央から外れた位置に、外側方に僅かに延びる誤挿入防止キー２９１が形成されている。
【００２１】
図４Ａは、上記フローティングコネクタ１の一部であるアダプタ３の斜視図である。図４Ｂは、アダプタ３の正面図である。図４Ｃは、アダプタ３の背面図である。図４Ｄは、アダプタ３の断面図である。図４Ｅは、アダプタ３の一方から見た側面図である。図４Ｆは、アダプタ３の他の一方から見た側面図である。
【００２２】
アダプタ３は、略直方体状の形状を有し、表面３ａから裏面３ｂに延びる断面矩形状の貫通孔３１が形成されている。この貫通孔３１には、上記ハウジング２の第１張出部２７よりも下方の部分が挿入される。この貫通孔３１は、上記ハウジング２の第２張出部２９、裏側本体部２５及び表側本体部２３が挿入可能で、第１張出部２７が挿入不可能な形状及び大きさを有している。具体的には、この貫通孔３１は、上記ハウジング２の表側本体部２３の外側面から所望のフローティング量に相当する長さだけ外側方に離間した形状及び大きさとなるように設定される。
【００２３】
このアダプタ３の表面３ａ側には、上記ハウジング２の第１張出部２７に対応して、長手方向の両側にそれぞれ延び、上下方向に肉厚とされた肉厚部３３１，３３２が形成されている。これら肉厚部３３１，３３２の表面が、アダプタ３の表面３ａを為している。また、肉厚部３３１，３３２の表面には、上記ハウジング２の第１張出部２７に形成された穴部２７４に挿入される、上方に延びた円柱状の突起部３３４が形成されている。この穴部２７４も、突起部３３４の外側面から所望のフローティング量に相当する長さだけ外側方に離間した形状及び大きさとなるように設定される。
【００２４】
このアダプタ３には、肉厚部３３１，３３２から下方に向けて裏面３ｂの辺りまで延び、下端部が内側に向けてやや折れ曲がったストッパ部３９がそれぞれ形成されている。また、アダプタ３の短手方向の両側に形成された側壁部３５の内面には、上記ハウジング２の第２張出部２９に形成された誤挿入防止キー２９１に対応する位置に、上下方向に延びた誤挿入防止キー溝３９１が形成されている。
【００２５】
他方、このアダプタ３の外側面には、上記パネル８に係止されるための形状が施されている。具体的には、アダプタ３の長手方向の一方側（図中の左側）に形成された肉厚部３３１の下方には、肉厚部３３１の外側面よりも長手方向の内側に後退した溝部３５５、ならびに後退面３５６が形成されている。すなわち、肉厚部３３１は、溝部３５５の底面よりも長手方向の外側に張り出した張出部であり、裏面３ｂ側を向く対向面３３１ｂを有している。
【００２６】
また、アダプタ３の長手方向の他方側（図中の右側）に形成された肉厚部３３２は、短手方向の両側に張り出しており、この肉厚部３３２の下方には、肉厚部３３２の外側面よりも短手方向の内側に後退した溝部３５３が両側に形成されている。すなわち、肉厚部３３２は、溝部３５３の底面よりも短手方向の外側に張り出した張出部であり、裏面３ｂ側を向く対向面３３２ｂを短手方向の両側に有している。
【００２７】
また、アダプタ３の短手方向の両側に形成された側壁部３５の外側面には、上記一方側の肉厚部３３１の近くに、やや外側方に張り出した張出部３５１がそれぞれ形成されている。これら張出部３５１は、表面３ａ側を向く対向面３５１ａをそれぞれ有している。
【００２８】
また、アダプタ３の短手方向の両側に形成された側壁部３５には、上記他方側の肉厚部３３２の付近で、上端が下方に落ち込んだ部分が形成されている。この部分の上端面は、表面３ａ側を向く対向面３５ａとされる。この対向面３５ａは、肉厚部３３２の下方まで延びている。
【００２９】
これら溝部３５３，３５５及び対向面３３１ｂ，３３２ｂ，３５１ａ，３５ａは、後述するように、アダプタ３が上記パネル８に取り付けられたときに取付口８１の周縁と当接可能とされる。
【００３０】
また、アダプタ３の上記一方側に形成された肉厚部３３１の下方には、上記パネル８に係止するための係止片３７が、後退面３５６から長手方向の外側に向けて延びた弾性支持枠３７１の先端部で弾性支持されている。
【００３１】
次に、アダプタ３に対するハウジング２の組み付けについて説明する。図５Ａ及び図５Ｂは、アダプタ３に対するハウジング２の組み付けに係る説明図である。図５Ａが組み付け前の状態を表し、図５Ｂが組み付け後の状態を表す。
【００３２】
ハウジング２は、裏面２ｂ側から、アダプタ３に形成された貫通孔３１に挿入される。具体的には、ハウジング２のうち、貫通孔３１よりも幅が狭い第２張出部２９、裏側本体部２５及び表側本体部２３が貫通孔３１内に挿入される。他方、貫通孔３１よりも幅が広い第１張出部２７は、貫通孔３１内に挿入されず、その裏面２７ｂが肉厚部３３１，３３２の表面３ａに突き当たる。こうして、ハウジング２は挿入方向（下方向）の移動が規制される。
【００３３】
また、ハウジング２がアダプタ３の挿入孔３１に挿入される際、アダプタ３の肉厚部３３１，３３２の表面３ａに形成された突起部３３４は、第１張出部２７の裏面２７ｂに形成された穴部２７４にそれぞれ挿入される。
【００３４】
また、ハウジング２がアダプタ３の挿入孔３１に挿入される際、ハウジング２の第２張出部２９は、長手方向の両側に配された、下端部がやや内側に折れ曲がった一対のストッパ部３９を外側に押し広げながら下方に移動していく。そして、第２張出部２９がストッパ部３９の下端を超えると、押し広げられていたストッパ部３９が復帰して、第２張出部２９の表面に当接可能となる。こうして、ハウジング２は挿入方向と逆方向（上方向）の移動が規制される。
【００３５】
ここで、アダプタ３の表面３ａからストッパ部３９の下端までの上下方向の長さは、ハウジング２の第１張出部２７と第２張出部２９との間の上下方向の長さと同程度となっており、これによりハウジング２は上下方向に動かないようになっている。
【００３６】
こうして組み付けられたハウジング２及びアダプタ３は、ハウジング２がアダプタ３に対して側方（すなわち、上下方向と直交する方向）にフローティング可能とされたフローティングコネクタ１となる。すなわち、アダプタ３の貫通孔３１の内面は、ハウジング２のうち第１張出部２７と第２張出部２９の間のこれらよりも細い部分、すなわちハウジング２の本体部（表側本体部２３及び裏側本体部２５）の外側面を、それよりも側方に広い範囲で取り囲んでおり、貫通孔３１の内側でハウジング２の本体部が側方に移動可能となっている。
【００３７】
また、ハウジング２の第１張出部２７に形成された穴部２７４の内壁も、これに挿入されるアダプタ３の突起部３３４の外側面を、それよりも側方に広い範囲で取り囲んでおり、穴部２７４の内側で突起部３３４が側方に移動可能になっている。本実施形態では、ハウジング２の外側面と貫通孔３１の内面との間に形成される隙間よりも、突起部３３４の外側面と穴部２７４の内壁との間に形成される隙間の方が、僅かながら小さく設定されている。このため、ハウジング２の側方への移動は、主として、突起部３３４が穴部２７４の内壁に当接したときに規制される。
【００３８】
また、ハウジング２の凹部２１の表面２ａ側にテーパー面２１３，２１５が形成されていることによって、凹部２１からずれた位置に相手方雄型コネクタが挿入されそうになったときでも、相手方雄型コネクタがテーパー面２１３，２１５に当たることで、相手方雄型コネクタの正面に凹部２１が来るようにハウジング２を側方に移動させることができる。ここで、長手方向に広がったテーパー面２１３は、図１０の部分拡大断面図に示すように、第１張出部２７の基端部を含む範囲まで広がっている。すなわち、テーパー面２１３は、表側本体部２３の外側面を延長した線よりも第１張出部２７側まで広がっている。このため、第１張出部２７が張り出した範囲を利用して比較的大きなテーパー面２１３を形成することができる。
【００３９】
なお、上記ケーブル７の端子は、ハウジング２がアダプタ３に組み付けられた後に、ハウジング２の裏面２ｂ側の端子挿入孔２５２（上記図３Ｃを参照）に挿入される。または、フローティングコネクタ１がパネル８に取り付けられた後に、上記ケーブル７の端子を挿入するようにしてもよく、または、あらかじめハウジング２にケーブル７の端子を挿入しておき、アダプタ３をパネルに取り付けた後に、ケーブル７が接続されたハウジング２をアダプタ３に取り付けてもよい。
【００４０】
次に、パネル８に対するフローティングコネクタ１の取り付けについて説明する。図６Ａ及び図６Ｂは、フローティングコネクタ１が取り付けられるパネル８の斜視図及び正面図である。また、図７Ａ，図７Ｂ，図７Ｃは、パネル８に対するフローティングコネクタ１の取り付けに係る説明図である。なお、これらの図では、フローティングコネクタ１に挿入されるケーブル７の図示を省略している。
【００４１】
パネル８に形成された取付口８１の周縁８３は、図６Ａ及び図６Ｂに示すように、フローティングコネクタ１が挿入可能なように、アダプタ３の表面３ａ側の外形（上記図４Ｂを参照）に対応した形状を有している。具体的には、周縁８３の長手方向の一方側（図中の左側）には、上記アダプタ３の肉厚部３３１の下方に形成された溝部３５５に挿入される対応面８３５，８３７が形成されている。また、中央の対応面８３７の近くには、上下方向に貫通した切り欠き８５１が形成されている。他方、周縁８３の長手方向の他方側（図中の右側）には、上記アダプタ３の肉厚部３３２及びその近傍に対応する挿入溝８３１，対向面８３３が短手方向の両側に形成されている。
【００４２】
フローティングコネクタ１は、図７Ａに示すように、パネル８の裏面８ｂ側から取付口８１に挿入される。このとき、フローティングコネクタ１は、ハウジング２の第１張出部２７側から先に取付口８１に挿入される。また、フローティングコネクタ１は、アダプタ３の短手方向に張り出した肉厚部３３２が、これと対応する挿入溝８３１を通り、取付口８１に挿入される。
【００４３】
そして、フローティングコネクタ１は、図７Ｂに示すように、ハウジング２の第１張出部２７に続いて、アダプタ３が一定量挿入されたところで、アダプタ３の対向面３５ａ，３５１ａにパネル８が突き当たることで、パネル８への挿入方向（上方向）の移動が規制される。
【００４４】
その後、フローティングコネクタ１は、図７Ｃに示すように、切り欠き８５１の側にスライドさせられて、アダプタ３に形成された係止片３７が、パネル８に形成された切り欠き８５１に嵌り、取付口８１と切り欠き８５１の間に形成された係止片８５２と係止される。こうして、フローティングコネクタ１は長手方向の側方への移動が規制される。
【００４５】
このように、フローティングコネクタ１のパネル８への取り付けは、組み付けられて一体となったハウジング２及びアダプタ３を、パネル８の裏面８ｂ側から挿入し、側方へスライドさせるといった簡易な操作によって行うことができる。
【００４６】
また、フローティングコネクタ１は、パネル８に係止された状態で、アダプタ３の肉厚部３３１，３３２がパネル８の表面８ａ上に乗り上げた状態となる。すなわち、アダプタ３の肉厚部３３１，３３２の裏面３３１ｂ，３３２ｂが、パネル８の表面８ａと対向する。このときの対向範囲を図８に示す。このように、アダプタ３の肉厚部３３１，３３２の裏面３３１ｂ，３３２ｂと、パネル８の表面８ａとが当接することで、フローティングコネクタ１は、パネル８への挿入方向と逆方向（下方向）への移動も規制される。
【００４７】
ここで、アダプタ３の肉厚部３３１，３３２がパネル８の表面８ａ上に乗り上げている様子を、図９Ａ及び図９Ｂの部分拡大断面図に示す。図９Ａに示すように、肉厚部３３１の裏面３３１ｂはパネル８の表面８ａに対向している。更に、肉厚部３３１の下方に形成された溝部３５５には、パネル８の周縁８３のうち対応面８３５，８３７の部分が挿入されている。この対応面８３５，８３７の部分は、溝部３５５に対して張り出した肉厚部３３１の基端側まで挿入されている。なお、この対応面８３５，８３７の部分は、溝部３５５の底面に当接していてもよいし、溝部３５５の底面との間に隙間を形成していてもよい。
【００４８】
同様に、図９Ｂに示すように、肉厚部３３２の裏面３３２ｂはパネル８の表面８ａに対向し、側壁部３５の下方に落ち込んだ部分の上端面である対向面３５ａには、パネル８の裏面８ｂが対向している。更に、肉厚部３３２の下方と対向面３５ａの間に形成された溝部３５３には、パネル８の周縁８３のうち対応面８３３の部分が挿入されている。この対応面８３３の部分は、溝部３５３に対して張り出した肉厚部３３２の基端側まで挿入されている。なお、この対応面８３３の部分は、溝部３５３の底面に当接していてもよいし、溝部３５３の底面との間に隙間を形成していてもよい。
【００４９】
これにより、アダプタ３に下方向（ハウジング２の挿入方向）の外力が加わったときには、アダプタ３の肉厚部３３１，３３２の裏面３３１ｂ，３３２ｂがパネル８の表面８ａと当接し、その移動が規制される。他方、アダプタ３に上方向の外力が加わったときには、対向面３５ａ，３５１ａがパネルの裏面８ｂと当接し、その移動が規制される。更に、パネル８の周縁８３が、溝部３５３，３５５に対して張り出した肉厚部３３１，３３２の基端側まで達しているため、これら肉厚部３３１，３３２の基端側に生じる応力を軽減することができ、破損防止に効果的である。
【００５０】
以上に説明した本実施形態の効果を説明するために、上記フローティングコネクタ１の断面構造の概略図を、図１１Ａに示す。また、比較の対象として、上記特許文献１に記載された従来のフローティングコネクタ９の断面構造の概略図を、図１１Ｂに示す。
【００５１】
なお、比較のため、従来のフローティングコネクタ９のハウジング本体９３は、本実施形態のハウジング２の表側本体部２３と同じ幅としている。また、従来のフローティングコネクタ９の、ハウジング本体９３よりも大径の回動部９５は、本実施形態のハウジング２の第１張出部２７と同じ幅としている。また、従来のフローティングコネクタ９の、回動部９５から放射状に広がる押え板９６及び板ばね９７は、回動部９５が抜け落ちないために最低限必要な長さで表わしている。実際には、押え板９６及び板ばね９７は、これよりも長く形成される。
【００５２】
本実施形態のフローティングコネクタ１では、第１張出部２７よりも幅の狭い表側本体部２３を、パネル８に固定されたアダプタ３の貫通孔内でフローティングさせているため、アダプタ３の貫通孔の内周面と表側本体部２３の外側面との間の距離をフローティング量Ｓとした場合、第１張出部２７の到達範囲は、中央位置での第１張出部２７の周りにフローティング量Ｓを加えた範囲となる。
【００５３】
これに対し、従来のフローティングコネクタ９では、ハウジング本体９３よりも大径の回動部９５を、パネル９８のコネクタ挿入孔内でフローティング可能に支持するため、回動部９５から押え板９６及び板ばね９７を放射状に広げている。このため、上記本実施形態のフローティングコネクタ１と同じフローティング量Ｓを得ようとしたとき、回動部９５が抜け落ちないようにするための、押え板９６及び板ばね９７の最低限必要な長さはフローティング量Ｓの２倍である。更に、押え板９６及び板ばね９７が回動部９５とともにフローティングすると、押え板９６及び板ばね９７の到達範囲は、中央位置での押え板９６及び板ばね９７の周りにフローティング量Ｓを加えた範囲となる。従って、回動部９５を基準に見たとき、押え板９６及び板ばね９７の到達範囲は、少なくとも、中央位置での回動部９５の周りにフローティング量Ｓの３倍を加えた範囲となる。
【００５４】
このように、本実施形態のフローティングコネクタ１は、従来のフローティングコネクタ９と比較して、フローティングする部材の到達範囲のコンパクト化を図ることができる。
【００５５】
以上、本発明の実施形態について説明したが、本発明は上記実施形態に限定されるものではなく、種々の変形実施が当業者にとって可能であるのはもちろんである。
【図面の簡単な説明】
【００５６】
【図１】本発明の一実施形態に係るフローティングコネクタの斜視図である。
【図２】上記フローティングコネクタをパネルに取り付けた状態を表わす斜視図である。
【図３Ａ】本発明の一実施形態に係るフローティングコネクタの一部であるハウジングの斜視図である。
【図３Ｂ】上記ハウジングの正面図である。
【図３Ｃ】上記ハウジングの背面図である。
【図３Ｄ】上記ハウジングの断面図である。
【図４Ａ】本発明の一実施形態に係るフローティングコネクタの一部であるアダプタの斜視図である。
【図４Ｂ】上記アダプタの正面図である。
【図４Ｃ】上記アダプタの背面図である。
【図４Ｄ】上記アダプタの断面図である。
【図４Ｅ】上記アダプタの側面図である。
【図４Ｆ】上記アダプタの側面図である。
【図５Ａ】アダプタに対するハウジングの組み付けに係る第１の説明図である。
【図５Ｂ】アダプタに対するハウジングの組み付けに係る第２の説明図である。
【図６Ａ】パネルの斜視図である。
【図６Ｂ】パネルの正面図である。
【図７Ａ】パネルに対するフローティングコネクタの取り付けに係る第１説明図である。
【図７Ｂ】パネルに対するフローティングコネクタの取り付けに係る第２の説明図である。
【図７Ｃ】パネルに対するフローティングコネクタの取り付けに係る第３の説明図である。
【図８】アダプタがパネルの表面に当接する範囲を表わす図である。
【図９Ａ】アダプタがパネルの表面に当接する範囲の部分拡大断面図である。
【図９Ｂ】アダプタがパネルの表面に当接する範囲の部分拡大断面図である。
【図１０】ハウジングに形成された凹部の表面側の部分拡大断面図である。
【図１１Ａ】本実施形態の効果を説明するための図である。
【図１１Ｂ】従来例を説明するための図である。
【符号の説明】
【００５７】
１  フローティングコネクタ、２  ハウジング、２ａ  表面、２ｂ  裏面、２１  凹部、２１３  テーパー面、２１５  テーパー面、２３  表側本体部、２３２  隔壁部、２５  裏側本体部、２５２  端子挿入孔、２７  第１張出部、２７ｂ  裏面、２７４  穴部、２９  第２張出部、２９１  誤挿入防止キー、３  アダプタ、３ａ  表面、３ｂ  裏面、３１  貫通孔、３３１  肉厚部（張出部）、３３１ｂ  対向面、３３２  肉厚部（張出部）、３３２ｂ  当接面、３３４  突起部、３５  側壁部、３５ａ  対向面、３５１  張出部、３５１ａ  対向面、３５３  溝部、３５５  溝部、３５６  後退面、３７  係止片、３７１  弾性支持枠、３９  ストッパ部、３９１  誤挿入防止キー溝、７  ケーブル、８  パネル、８ａ  表面、８ｂ  裏面、８１  取付口、８３  周縁、８３１  挿入溝、８３３  対向面、８３５  対応面、８３７  対応面、８４  張出部、８５１  切り欠き、８５２  係止片、９  従来のフローティングコネクタ、９３  ハウジング本体、９５  回動部、９６  押え板、９７  板ばね、９８  パネル。
【図１】
0005229722.tif 000002
【図２】
0005229722.tif 000003
【図３Ａ】
0005229722.tif 000004
【図３Ｂ】
0005229722.tif 000005
【図３Ｃ】
0005229722.tif 000006
【図３Ｄ】
0005229722.tif 000007
【図４Ａ】
0005229722.tif 000008
【図４Ｂ】
0005229722.tif 000009
【図４Ｃ】
0005229722.tif 000010
【図４Ｄ】
0005229722.tif 000011
【図４Ｅ】
0005229722.tif 000012
【図４Ｆ】
0005229722.tif 000013
【図５Ａ】
0005229722.tif 000014
【図５Ｂ】
0005229722.tif 000015
【図６Ａ】
0005229722.tif 000016
【図６Ｂ】
0005229722.tif 000017
【図７Ａ】
0005229722.tif 000018
【図７Ｂ】
0005229722.tif 000019
【図７Ｃ】
0005229722.tif 000020
【図８】
0005229722.tif 000021
【図９Ａ】
0005229722.tif 000022
【図９Ｂ】
0005229722.tif 000023
【図１０】
0005229722.tif 000024
【図１１Ａ】
0005229722.tif 000025
【図１１Ｂ】
0005229722.tif 000026